(57)【要約】 【課題】  リテーナと端子金具のロック性能を確保した上で、組み付け作業工程内における端子金具と電線の干渉対策を図る。【解決手段】  雌端子金具１０は接続相手となる他の端子を受け入れ可能な本体部１１と、電線Ｗの端末に接続可能とされた圧着部２５とを備えてなる。このうち、本体部１１の後端縁には、端子金具の挿入方向とほぼ直交して形成されるとともにリテーナ５０の係止部５３に係止可能とされた係止面２１と、この係止面２１に連続し、かつ圧着部２５に向けて斜めに傾斜する案内面２２とが設けられている。このように、案内面２２を設ける構成としておけば、本体部１１の後端縁全体が係止面とされた場合と比較して係止面の長さ、すなわち干渉代が低くなるから、電線Ｗ等の干渉物が引っかかり難くなる。【選択図】  図７
2005149992.tif 000002
【特許請求の範囲】
【請求項１】
前後方向に形成されたキャビティを備えるとともに、側面から差し込み可能なリテーナを備えたコネクタハウジングの前記キャビティ内に装着され、
接続相手となる他の端子を受け入れ可能な端子接続部と、電線端末に接続可能とされた電線接続部とを備えた端子金具であって、
前記端子接続部の後端縁には、
前記キャビティに対する前記端子金具の挿入方向とほぼ直交して形成されるとともに前記リテーナに係止可能とされた係止面と、
この係止面に連続し、かつ前記電線接続部側に向けて斜めに傾斜する案内面とが設けられた構成であることを特徴とする端子金具。
【請求項２】
前記案内面は前記係止面とのなす角度が１１０°以上、１６０°以下であることを特徴とする請求項１記載の端子金具。
【請求項３】
前後方向に形成されたキャビティを備えるとともに、側面から差し込み可能なリテーナを備えたコネクタハウジングの前記キャビティ内に装着され、
接続相手となる他の端子を受け入れ可能な端子接続部と、電線端末に接続可能とされた電線接続部とを備えた端子金具であって、
前記端子接続部の側面には一対のスタビライザが突設され、
これら各スタビライザの後端縁は前記キャビティに対する前記端子金具の挿入方向とほぼ直交して形成され、かつ前記リテーナに対して係合可能とされた係止面とされるとともに、
前記各スタビライザの突出縁と後端縁との間には、両縁を弧状をなして繋ぐコーナー部が形成され、
更に、前記端子接続部の側面から前記スタビライザの突出縁までの張り出し高さがほぼ０．８ｍｍであるとした場合に、
前記係止面と前記リテーナの係合長さは０．４ｍｍ以上であり、前記コーナー部の半径の大きさは０．３ｍｍ以上、０．３５ｍｍ以下であることを特徴とする端子金具。
【請求項４】
前記電線接続部は前記電線をかしめ付ける一対の対向片を備えてなるとともに、これら両対向片の後端部には、その全長に亘って面取り或いは面押しがなされた構成であることを特徴とする請求項１ないし請求項３記載に記載の端子金具。
【発明の詳細な説明】
【技術分野】
【０００１】
本発明は、端子金具に関する。
【背景技術】
【０００２】
従来より、コネクタハウジング内のキャビティに挿入される端子金具に、ランス或いはリテーナを係止させることでコネクタハウジングに対する端子金具の抜止めを図ることとしている。（特許文献１）
端子金具１は相手側の端子金具に接続可能な本体部並びに、電線との接続のためのバレル部を備えてなる。本体部は略箱型をなし、その上面には係止孔が形成されている。
一方、コネクタハウジングは内部に、前後方向に貫通する複数のキャビティを設けている。各キャビティ内には端子金具が後方から収容可能とされており、その天井壁には端子金具の係止孔に対して一次係止するランスが設けられている。      
【０００３】
また、端子金具の本体部における後端部（図１４における右側）は切り立つ係止面３とされている。一方、キャビティの中央には、ハウジングの側面から連通されるリテーナ装着口が開口されており、そこに、リテーナ５が組み付けられるようになっている。リテーナ５は仮係止位置においてはキャビティに対する端子金具の挿入を許容するが、仮係止位置から本係止位置に押し込まれたときには本体部の係止面に係止して、ランスとともに端子金具を抜止めするようになっている。
【特許文献１】特開平８−３３９８５６号公報
【発明の開示】
【発明が解決しようとする課題】
【０００４】
上記構造によれば、端子金具１にリテーナ５に対する係止面３、すなわち起立する垂直面を設けているが、ロック性能を保持するためには、出来るだけ係止面３の起立高さを高くとって、リテーナ５と係止面の係合高さを十分に確保することが望ましい。
しかしながら、このように端子金具１に係止面（起立する垂直面）３があると、例えば、山積みされた電線の束から電線を取り出す際に、当該端子金具１の係止面３が山積みされた他の電線に引っ掛かる場合がある。このような場合に、係止面３の起立高さが低ければ、例えば、電線を上下動等させることによって引っかかりが解かれることが期待されるが、係止面３の起立高さが高いと引っ掛かった電線は外れ難くなる。そのため、作業性の低下を招き、更にはその状態から無理矢理端子金具１を引っ張ると、他の電線に外傷を与える虞がある。
本発明は上記のような事情に基づいて完成されたものであって、リテーナと端子金具のロック性能を確保した上で、組み付け作業工程内における端子と電線の干渉対策が図られた端子金具を提供することを目的とする。
【課題を解決するための手段】
【０００５】
上記の目的を達成するための手段として、請求項１の発明は、前後方向に形成されたキャビティを備えるとともに、側面から差し込み可能なリテーナを備えたコネクタハウジングの前記キャビティ内に装着され、接続相手となる他の端子を受け入れ可能な端子接続部と、電線端末に接続可能とされた電線接続部とを備えた端子金具であって、前記端子接続部の後端縁には、前記キャビティに対する前記端子金具の挿入方向とほぼ直交して形成されるとともに前記リテーナに係止可能とされた係止面と、この係止面に連続し、かつ前記電線接続部側に向けて斜めに傾斜する案内面とが設けられた構成であるところに特徴を有する。
【０００６】
請求項２の発明は、請求項１に記載のものにおいて、前記案内面は前記係止面とのなす角度が１１０°以上、１６０°以下である構成であるところに特徴を有する。
【０００７】
請求項３の発明は、前後方向に形成されたキャビティを備えるとともに、側面から差し込み可能なリテーナを備えたコネクタハウジングの前記キャビティ内に装着され、接続相手となる他の端子を受け入れ可能な端子接続部と、電線端末に接続可能とされた電線接続部とを備えた端子金具であって、前記端子接続部の側面には一対のスタビライザが突設され、これら各スタビライザの後端縁は前記キャビティに対する前記端子金具の挿入方向とほぼ直交して形成され、かつ前記リテーナに対して係合可能とされた係止面とされるとともに、前記各スタビライザの突出縁と後端縁との間には、両縁を弧状をなして繋ぐコーナー部が形成され、更に、前記端子接続部の側面から前記スタビライザの突出縁までの張り出し高さがほぼ０．８ｍｍであるとした場合に、前記係止面と前記リテーナの係合長さは０．４ｍｍ以上であり、前記コーナ部の半径の大きさは０．３ｍｍ以上、０．３５ｍｍ以下であるところに特徴を有する。
【０００８】
請求項４の発明は、請求項１ないし請求項３のいずれかに記載のものにおいて、前記電線接続部は前記電線をかしめ付ける一対の対向片を備えてなるとともに、これら両対向片の後端部には、その全長に亘って面取り或いは面押しがなされた構成であるところに特徴を有する。
【発明の効果】
【０００９】
＜請求項１の発明＞
請求項１の発明によれば、端子接続部の係止面をロックに必要とされる長さに留めており、リテーナに対して係止しない不必要な部分を案内面としている。そのため、後端縁全体が係止面とされた場合と比較して、係止面の全長が短くなるから、電線等の干渉物が引っかかり難くなる。
また、仮に、電線等の干渉物が端子接続部の後端縁に嵌まり込んだとしても、干渉した電線等の干渉物は案内面の勾配に沿って、係止面の先端側あるいは電線接続部側へと移動する。従って、干渉物の嵌まり込みが浅くなる。
【００１０】
＜請求項２の発明＞
出願人の知見によれば、案内面と係止面とのなす角度θが、１１０°≦θ≦１６０°の範囲内に設定されていれば、干渉物を干渉回避方向、すなわち端子接続部の先端側或いは電線接続部側へ案内するのに最も好適な構成である。
【００１１】
＜請求項３の発明＞
出願人の知見によれば、係止面とリテーナの係合長さが０．４ｍｍ以上あれば、ハウジングに対する端子金具の抜け止め性能（係止力の大きさ）に支障を来すことがない。従って、この範囲内において、係合長さを出来る限り短くとってやれば、必要な係止力を確保した上で、電線が嵌まり込み難い形態となる。また、同範囲内においてコーナー部のＲを大きくとってやれば、その部分のエッジが取り除かれることとなるから、更に、好適な構成となる。
【００１２】
＜請求項４の発明＞
請求項４の発明によれば、対向片の後端部には、面取り或いは面取りがなされエッジが削除された状態にあるから、その部分に電線等の干渉物が当たっても外傷を負うことがない。
【発明を実施するための最良の形態】
【００１３】
＜実施形態１＞
本発明の実施形態１を図１ないし図７によって説明する。
この実施形態は雌側のコネクタを例示しており、大まかには図１に示すように、雌側の雌ハウジング４０（以下、雌ハウジングという）と、これに収容される雌端子金具１０と、雌端子金具１０を二重に抜け止めするためのリテーナ５０とから構成されている。尚、以下では、同図の左側を前方として説明する。
【００１４】
雌端子金具１０は、所定の展開形状に打ち抜いた金属板（銅合金製）に曲げ加工などを施すことにより形成されており、相手の雄端子金具のタブ（図示せず）と導通接続可能な箱形をなす本体部（本発明の端子接続部に相当する）１１と、電線Ｗの端末に圧着接続される圧着部（本発明の電線接続部に相当する）２５とを連結部２８によって前後に繋げた構成とされている。
【００１５】
圧着部２５は前後に一対のかしめ片を対向状に備えており、このうち前側の両かしめ片が電線Ｗの芯線Ｗａにかしめ付けられるワイヤバレル２５Ａとされるのに対し、後側の両かしめ片が電線Ｗの被覆Ｗｂにかしめ付けられるインシュレーションバレル（本発明の対向片に相当する）２５Ｂとされている。図４はインシュレーションバレル２５Ｂの断面図であるが、その後端縁２５Ｂａは面取りがなされており、エッジが取り除かれている。また、ワイヤバレル２５Ａ並びにインシュレーションバレル２５Ｂの突出端２５Ａｂ、２５Ｂｂも後端縁２５Ｂａと同様に面取りされている。
【００１６】
連結部２８は下向きに伸びる左右一対の側壁２９を備えてなり、両側壁２９が圧着部２５のワイヤバレル２５Ａと次述する本体部１１の側壁１３Ａ、１３Ｂとの間を繋ぐようになっている。
【００１７】
本体部１１は、前後に延出する天井壁１２と、天井壁１２の両側縁から下向きに屈曲形成された一対の側壁１３Ａ、１３Ｂと、図２の右側の側壁１３Ａの突出端から天井壁１２と対向するよう屈曲する底壁１４と、図２の左側の側壁１３の突出端から底壁１４の外側に重ね合わせられる屈曲される外壁１５とから構成されている。
【００１８】
このうち、天井壁１２の前端（同図における右側）からは、後方へ折り返されるとともに略山形をなす片持ち状の弾性接触片１７が設けられ、相手の雄端子金具のタブに対して弾性接触可能とされている。弾性接触片１７に対向する底壁１４には、タブを弾性接触片１７との間で挟圧状態に保持可能な受け部（図示せず）が内側に張り出して設けられている。
【００１９】
一方、本体部１１の後端の下縁部周辺は切り立つ係止面２１とされており、そこには、後述するリテーナ５０の係止部５３が係止するようになっている。
また、天井壁１２の中央部は、左右に切り起こされ開口している。この開口部分は係止孔１２Ａとされ、そこへは次述する雌ハウジング４０のランス４５が係止可能とされている。一方、切り起こされた部分は雌ハウジング４０に対する雌端子金具１０の組み付け動作を案内するためのスタビライザ３０である。
【００２０】
雌ハウジング４０は合成樹脂製であって、図１に示すように全体としては横幅の広い扁平なブロック状に形成されている。雌ハウジング４０の上面には、相手側となる雄ハウジング（図示せず）との間を嵌合状態にロックするためのロックアーム４１が形成されるとともに、その左右両縁には雌ハウジング４０のほぼ全長に亘って保護壁４９が形成されている。
【００２１】
雌ハウジング４０の内部には、前後方向を向いたキャビティ４２が上下二段、幅方向に複数列並んで形成されている。各キャビティ４２内には上記した雌端子金具１０が後方から挿入・収容可能とされており、図５に示すように、各キャビティ４２の天井壁４３の前部側には、雌端子金具１０に対して一次係止するランス４５が設けられている。ランス４５は前方へ片持ち状に延び、先端側が上下方向に撓み変位可能となっており、雌端子金具１０がランス４５を通過することに伴って上方へ撓み変位し、通過後には復帰して雌端子金具１０の係止孔１２Ａに係止することで、雌端子金具１０の抜け止めを行うように機能する（一次係止）。
【００２２】
ランス４５に係止した雌端子金具１０は、雌ハウジング４０の前壁４４によって前止まり状態に支持されるようになっている。前壁４４には、相手の雄端子金具のタブがキャビティ４２内に前方から進入するのを許容するタブ挿通孔４４ａが穿設されており、その前側の孔縁には、全周にわたって略擂鉢状をなす誘導面４４ｂが形成されることで、タブの進入動作が円滑に誘導されるようになっている。
【００２３】
また、各キャビティ４２の天井壁４３の左右両縁には、スタビライザ３０を挿通可能なスタビライザ挿通溝４３Ａが凹み形成されている。スタビライザ挿通溝４３Ａも雌ハウジング４０の前後方向に沿って形成されるとともに、その前端位置はランス４５の基端部の前方位置まで達し、後方へは開放する構成とされている。
【００２４】
また、雌ハウジング４０の下面４６であって、前後方向の略中央にはリテーナ５０を組み付けるためのリテーナ取り付け孔４７が開設されている。リテーナ取り付け孔４７は、その天井面が上段のキャビティ４２Ａのほぼ中央高さに位置するような深さを持って形成されている。これにより、下段のキャビティ４２Ｂでは全高にわたり、上段のキャビティ４２Ａでは下半分の高さ部分で前後に分断されることになる。この分断部分では、横方向に隣り合うキャビティ間を仕切る仕切壁（図示せず）も除去された形態となる。
また、リテーナ取り付け孔４７の開口縁部には開口幅が他の部分に比べて広い収容座４７Ａが形成されている。
【００２５】
リテーナ５０は合成樹脂製（ポリブチレンテレフタレート製）であって、雌ハウジング４０の収容座４７Ａに収容可能とされた基部５１と、基部５１上に形成される略格子状のリテーナ本体部５２を備えてなる。リテーナ本体部５２は各キャビティ４２に対応する位置にそれぞれ係止部５３を備えている。このリテーナ５０はリテーナ取り付け孔４７に対して、係止部５３がキャビティ４２から退避して雌端子金具１０のキャビティ４２に対する挿抜を許容する仮係止位置（図５に示す位置）と、係止部５３がキャビティ４２内に進入して、雌端子金具１０の本体部１１の後端に係止される本係止位置（図６に示す位置）との間を上下、すなわち雌端子金具１０の挿抜方向とはぼ直交する方向に移動可能な状態で組み付けられている。なお、リテーナ５０は、図示しない保持機構によって両位置に保持されるようになっている。
【００２６】
ところで、雌端子金具１０の本体部１１の後端縁には、先に述べたが、雌端子金具１０の挿入方向とほぼ直交する係止面２１が形成されている。図６に示すように、係止面２１の上端２１Ａは、本係止位置にあるときのリテーナ５０の係止部５３の上端５３Ａと同じ高さに位置に留められており、更にこの係止面２１と側壁２９との間には、係止面２１の上端２１Ａと連続し側壁２９の下縁２９Ａに至る案内面２２が形成されている。案内面２２は本体部１１側から連結部２８に向かう登り勾配とされている。
【００２７】
以上のように、係止面２１を必要長さ（例えば、リテーナ５０との係止力が１００Ｎ以上確保される長さ）に留めることで、本体部１１の後端縁全体が係止面２１とされた場合（図７に示す一点鎖線形状の場合）と比較して、係止面２１の全長が短くなるような設定とされている。そのため、本体部１１の後端縁に対して電線Ｗ等が引っ掛かり難い構成となる。更に、係止面２１と側壁２９の下縁２９Ａとが交差する部分を案内面２２としているから、仮に、電線Ｗ等が当該交差部分に嵌まり込んだとしても、電線Ｗ等は案内面２２の勾配に沿って、係止面２１の先端側（図７における下側）あるいは圧着部２５側（図７における右側）へと移動する。従って、当該交差部分に電線Ｗ等が留まることが回避され、電線Ｗ等の嵌まり込みが浅くなる。
【００２８】
また、図７に示すように、本実施形態においては、案内面２２は係止面２１とのなす角θが１３５°となるような設定とされている。このような構成とすることで、案内面２２と側壁２９の下縁２９Ａとのなす角θ２も鈍角となり、更に、その角度も１３５°に近似したものとなるから、上記したように、電線Ｗを係止面２１の先端側あるいは圧着部２５側のいずれの方向に対してもスムーズに案内可能な構成となる。
【００２９】
また、案内面２２と係止面２１とのなす角θについては１１０°〜１６０°の範囲に設定されることが望ましい。というのも、なす角θが１１０°より小さくなると、案内面２２と係止面２１とのなす角が９０°に近くなり、その部分に電線Ｗが留まり易くなるし、案内面２２と係止面２１とのなす角が１６０°を越えると、今度は、案内面２２と下縁２９Ａとのなす角が９０°に近くなり、その部分で電線Ｗが留まり易くなるからである。
【００３０】
続いて、本実施形態の作用を説明する。
組み付けに当たっては、まずリテーナ５０が雌ハウジング４０に対して仮係止位置に保持される。続いて、組み付け作業場内に配された電線束から電線Ｗを引き出すとともに、雌端子金具１０をキャビティ４２に対して後方から挿入する。すると、雌端子金具１０はスタビライザ３０及びスタビライザ挿通溝４３Ａによって案内されながら差し込まれてゆき、本体部１１がリテーナ７０を通過し、さらにはランス４５を上方に撓み変位させる。やがて、本体部１１の係止孔１２Ａがランス４５を越えると、ランス４５が復動してその先端が係止孔１２Ａの孔壁に係止し、いわゆる一次係止される。
【００３１】
すべてのキャビティ４２への雌端子金具１０の挿入が終了したら、仮係止位置にあるリテーナ５０を本係止位置に向けて押し込む。そして、リテーナ５０が本係止位置に至ると、雌ハウジング４０の内部では、図６に示すように、上下の係止部５３がキャビティ４２内に下方から進入して、対応する雌端子金具１０の係止面２１に係止し、雌端子金具１０をランス４５と共に二重に抜け止めする。
【００３２】
また、従来においては、上記した組み付け動作中、電線の束から電線Ｗを引き出す際に、雌端子金具１０の出っ張り部分、すなわち本体部１１の係止面２１が他の電線Ｗを引っかけてしまう場合があった。しかし、本実施形態によれば、係止面２１の全長を必要長さに留めている。そのため、電線Ｗに対する干渉代が短くなるから電線Ｗの引っかかりが起こり難く、これにより、電線Ｗの絶縁被覆に対する傷つきが回避される。
【００３３】
更に、係止面２１と側壁２９の下縁２９Ａとが交差する部分を案内面２２としているから、仮に、電線Ｗが当該交差部分に嵌まり込んだとしても、電線Ｗは案内面２２の勾配に沿って、係止面２１の先端側あるいは圧着部２５側へと移動し、当該交差部分に電線Ｗが留まることがない。従って、電線Ｗが当該交差部分において二面当たりような状況（二面当たりする状況にあると、電線Ｗの逃げ方向が制限され、更に、電線Ｗと端子金具１０の接触面積が多くなることから電線Ｗが外傷を受け易い状況となる）が回避される。
【００３４】
＜実施形態２＞
本発明の実施形態２を図８ないし図１２によって説明する。
実施形態１においては、リテーナ５０の係止部５３を本体部１１の後端縁に係止させることで、ランス４５とともに雌端子金具１０を二重係止したが、実施形態２においては、リテーナ７０の係止部７５をスタビライザ６０の後端縁に係止させる構成としている。そのため、スタビライザ６０の後端縁はリテーナ７０に対する係止面６１、すなわち切り立つ垂直面とされている。尚、実施形態１においては雌ハウジング４０に対しスタビライザ３０を上に向けた状態で雌端子金具１０の組み付けを行ったが、実施形態２においてはスタビライザ６０を下に向けて組み付けを行うこととしている。
【００３５】
また、上記構成とすることで、リテーナ７０にも変更が加えられている。実施形態１においてリテーナ５０は略格子状をなす形態であったが、図９に示すように、実施形態２においては、リテーナ７０は隣合う係止部７５が分断された構成とされている。一方、雌ハウジング８０のリテーナ取り付け孔８６については実施形態１ではリテーナ５０を一括して収容させるものであったが、実施形態２は上下の各係止部７５を各列毎に収容させるような複数の挿通溝（図示せず）によって構成されている。この複数の挿通溝は雌ハウジング８０の幅方向に関して各キャビティ８２を区画する仕切壁を切り欠いて形成されている。そのため、係止部７５はこの挿通溝を出入りすることで、キャビティ８２の内部に設けられるランス８５との干渉を避けつつキャビティ８２内に出入りすることが出来る。
【００３６】
各係止部７５は先端並びに基端寄りの位置に、それぞれ左右に張り出すロック突部７６を設けている。リテーナ７０が図１０に示す仮係止位置から図１１に示す本係止位置に押し込まれた時には、図１２に示すように、各係止部７５の左右のロック突部７６が、それぞれ隣合って位置するスタビライザ６０の係止面６１に係止するようになっている。
【００３７】
ところで、スタビライザ６０の後端縁はリテーナ７０に対する係止面６１、すなわち切り立つ垂直面である。そのため、実施形態１における本体部１１の後端縁と同様に、そこは電線Ｗが引っかかり易い場所である。従って、本実施形態においては、図１１に示すように係止面６１の全長を必要長さ（詳細には、後述するがリテーナ７０との係止力が１００Ｎ以上確保される長さ）に留め、更に、後端縁６１と突出縁６２との間に弧状のコーナー部６５を設けて、その半径の大きさをなるべき大きくとるようにしている。このような構成とすることで、そこに電線Ｗが引っ掛かり難くなり、又電線Ｗの絶縁被覆の傷つき防止にもなる。その具体的な寸法設定は、以下のスタビライザ係止力測定試験に基づいて算出される。
【００３８】
スタビライザ係止力測定試験は、雌ハウジング８０のキャビティ８２に雌端子金具１０を正規深さまで挿入させてスタビライザ６０とリテーナを係止させた状態（ランス８５は予め取り除いておき係止させない）としておき、その状態から電線Ｗを後方に引っ張ってその引き抜き力、すなわちスタビライザ６０単独の係止力を測定するものである。
【００３９】
これら各試験は下記に記す条件設定のもとで、係止面６１とリテーナ７０の係合長さ（図１１のＣ寸法）並びに、コーナー部６５の円弧の大きさ（図１１のＲ寸法）を種々変化させて行い、表１の結果を得た。
（1）スタビライザ６０の全高（図１１におけるＡ寸法であって、本体部１１の下面１２Ａからスタビライザ６０の突出縁６２までの張り出し高さ）を０．８ｍｍとし、更に、リテーナ７０と本体部１１の下面１２Ａとの間には０．１ｍｍの隙間を設けた（Ｂ寸法）。
（2）雌端子金具１０は銅合金製とし、その板厚は０．２５ｍｍのものを使用した。
（3）リテーナ７０の材質はポリブチレンテレフタレート製のものを使用した。
（4）電線の線径は１．０ｍｍ〜１．３ｍｍのものを使用した（電線の材質はハロゲンフリー）。
【００４０】
【表１】
2005149992.tif 000003
【００４１】
スタビライザ係止力はリテーナ７０と係止面６１との係合長さが長く、両部材の接触面積が広いほど大きくなるが、表１に示すように、Ｃ寸法が０．４ｍｍ以上である範囲ではスタビライザ係止力はいずれも１００Ｎを越えている。一方、Ｃ寸法が０．４ｍｍより小さくなるとスタビライザ係止力が１００Ｎ以下となる。ここで、係止力は判定基準を１００Ｎ以上としている。そのため、雌端子金具１０の板厚が０．２５ｍｍ以上確保されており、更に、Ｃ寸法が０．４ｍｍ以上であれば、判定基準を上回り十分な係止力が得られることがわかった。
【００４２】
従って、スタビライザ６０の全高（Ａ寸法）が０．８ｍｍである場合に、Ｃ寸法を０．４ｍｍとした条件のもとで、Ｒの大きさを決めてやれば（最も大きく設定する）、必要な係止力が確保され、かつ電線Ｗの干渉対策として最適な構成となる。以上のことから、本実施形態においては係止面６１とリテーナ７０の係合長さ（Ｃ寸法）を０．４ｍｍ、Ｒの大きさを０．３ｍｍとした。
【００４３】
尚、電線Ｗがスタビライザ６０の後端に干渉するか、否は電線Ｗの線径の大きさによっても左右されるが、電線Ｗの線径としては１．０ｍｍから１．３ｍｍのものを想定している。この範囲の電線Ｗを使用していれば、電線Ｗの線径の大きさと、Ｃ寸法（０．４ｍｍ）並びにＲの大きさ（０．３ｍｍ）のバランスが程良くとられ、干渉対策としての効果が十分に期待出来る。仮に、電線Ｗの線径をこれより細いものを使用すると、係止面６１に電線Ｗが引っ掛かり易くなってしまう。
また、上記試験においてはＢ寸法を０．１ｍｍの設定としたが、ここをリテーナ７０が底突きしない範囲で狭く設定（例えば、０．０５ｍｍの設定）すれば、コーナー部のＲは０．３５ｍｍまで大きくすることが可能である。
【００４４】
＜参考例＞
実施形態１並びに実施形態２はいずれも、本体部１１及びスタビライザ６０の係止面２１、６１を切り立つ垂直面により形成したが、当該部分における電線の引っかかり対策を行う場合には、図１３に示すように、係止面（スタビライザ９１を例にとっている）９２そのものを傾斜させるものであっても有効である。このような構成としておけば、電線が係止面９２に干渉しても電線はその傾斜に沿ってスタビライザ９１の突出縁側へ案内され、当該部分で留まることがない。尚、このように端子側の係止面９２を傾斜させた形態とする場合には、相手側となるリテーナ１００の係止部１０１も端子側の傾斜に倣って傾斜させる必要がある。
【００４５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）実施形態１及び実施形態２においては、雌端子金具を例にとったが、雄端子金具に適用するものであってもよい。
【図面の簡単な説明】
【００４６】
【図１】実施形態１における雌ハウジング並び雌端子金具の斜視図
【図２】本体部の拡大図
【図３】雌端子金具の側面図
【図４】図３におけるＡ−Ａ線断面図
【図５】リテーナの仮係止位置を示す断面図
【図６】リテーナの本係止位置を示す断面図
【図７】電線が傾斜面によって案内される状態を示す図
【図８】実施形態２における雌端子金具の斜視図
【図９】雌ハウジング並びにリテーナの正面図
【図１０】リテーナの仮係止位置を示す断面図
【図１１】リテーナの本係止位置を示す断面図
【図１２】スタビライザがリテーナに係止した状態を表す断面図
【図１３】参考例の側面図
【図１４】従来例の断面図
【符号の説明】
【００４７】
１０…雌端子金具
１１…本体部（端子接続部）
２１…係止面
２２…案内面
２５…圧着部（電線接続部）
【図１】
2005149992.tif 000004
【図２】
2005149992.tif 000005
【図３】
2005149992.tif 000006
【図４】
2005149992.tif 000007
【図５】
2005149992.tif 000008
【図６】
2005149992.tif 000009
【図７】
2005149992.tif 000010
【図８】
2005149992.tif 000011
【図９】
2005149992.tif 000012
【図１０】
2005149992.tif 000013
【図１１】
2005149992.tif 000014
【図１２】
2005149992.tif 000015
【図１３】
2005149992.tif 000016
【図１４】
2005149992.tif 000017